(57)【要約】      （修正有）【課題】壁に星空などを投影機により映し出すものは、幅広く普及される汎用性をもっていない。あらゆる使用場所や範囲に対応する実用性を持ち、実物同様の星空を再現する電飾品を提供する。【解決手段】内部が空間になるパネル９を組み、パネル９の枠の中央に集電板１を設け、集電板１全てに同様に通電させるように配線し、パネル内部にチップタイプのＬＥＤとＣＲＤを設置し、磁石と金属をパネル同士磁力で接続するように設ける。パネル９の内側の面はＬＥＤの光を反射させる銀色とし、カバーの上面に光を通す穴を開ける。星の点灯を切り替えるには、パネル内に光を真下に反射させるスリットを持つ複数の導光板を用い、アソードとカソードが互い違いになるようにＬＥＤと定電流ダイオードを１組２個ずつとなるように設置する。以上のように構成されたパネル型電飾品。【選択図】図１
2017068222.tif 000002
【特許請求の範囲】
【請求項１】
（イ）薄くて軽い素材で、内部が空間になるパネルを組み、
（ロ）パネルの枠の中央に集電板を設け、集電板全てに同様に通電させるように配線し、
（ハ）パネル内部にチップタイプのＬＥＤとＣＲＤを設置し、
（ニ）磁石と金属をパネル同士磁力で接続するように設け、
（ホ）パネルの内側の面はＬＥＤの光を反射させる銀色とし、
（ヘ）カバーに光を通す穴を開け、
（ト）星の点灯を切り替えるには、パネル内に光を真下に反射させるスリットを持つ複数の道光板を用い、
（チ）電流の極性を反転させることによって点灯する導光板が切り替わるように、アソードとカソードが互い違いになるようにＬＥＤと定電流ダイオードを１組２個ずつ設置する、
以上のように構成されたパネル型電飾品。
【発明の詳細な説明】
【技術分野】
【０００１】  本発明は、実物同様の星空を再現するパネル型電飾品である。一ヶ所の電源により敷かれたパネルすべてが通電する通電式のパネルである。これにより、壁面全体に星空の電飾を施す他、通電機構を利用したさまざまな用途に展開できる。
【背景技術】
【０００２】  本発明は、実物同様の星空をあらゆる場所に、広範囲に再現するために発明されたパネルである。従来、人工的に星などの像を映し出すには、投影機により映し出す方法がある。これは一般の部屋などで趣味として楽しむ場合においても同様で、プラネタリウムの仕組みと同じく、多くは部屋の中央に投影機を設置し、天井や壁をスクリーンとして星の像を映し出すものである。
これらは、市販されている一般家庭用のプラネタリウムの製品も含め専用の設置を要するためか、個人の楽しみの枠を越えられずにいる。もちろん、会社のオフィスや、建物の壁や、屋外の公共施設などでこれらの光の像による演出はさらに困難となる。
【発明の概要】
【発明が解決しようとする課題】
【０００３】  従来の投影する方法では、以下のような限界があった。
（イ）像を映すに投影機が必要である。
（ロ）一つの光源から投射するため、像を映し出す範囲が限られる。
（ハ）空間の形状によっては、投射された光が行き届かない場合がある。
（ニ）床や地面に簡易に像を映せない。
（ホ）無数の星を細密に再現しようとするほど、高性能な投影機が必要となる。
（ヘ）正しく像を映し出すために、光源から反射物までの距離、すなわち天井の高さの考慮を必要とする。
本発明は、以上の問題点を解決し、身近に普及するに資する実用性や柔軟性を備えるものにするために、発明されたものである。
【課題を解決するための手段】
【０００４】  （イ）薄くて軽い素材で、内部が空間になるパネルを組み、
（ロ）パネルの枠の中央に集電板を設け、集電板全てに同様に通電させるように配線し、
（ハ）パネル内部にチップタイプのＬＥＤとＣＲＤを設置し、
（ニ）磁石と金属をパネル同士磁力で接続するように設け、
（ホ）パネルの内側の面はＬＥＤの光を反射させる銀色とし、
（ヘ）カバーに光を通す穴を開け、
（ト）星の点灯を切り替えるには、パネル内に光を真下に反射させるスリットを持つ複数の道光板を用い、
（チ）電流の極性を反転させることによって点灯する導光板が切り替わるように、アソードとカソードが互い違いになるようにＬＥＤと定電流ダイオードを１組２個ずつ設置する、
以上のように構成されたパネル型電飾品。
【発明の効果】
【０００５】  本発明の特徴は、場所を選ぶことなく手軽に、家庭用電源を用いて実物に近い星空を再現することができることである。一般家庭の部屋を始めとする室内や、屋外の街のイルミネーションにも展開できる。パネルによって壁面自体が発光する仕組みであるため、映す像は天井の高さや空間の広さによる影響を受けない。また、少ない面積でも無数の星の点灯ができ、星ひとつの明るさの調整もできる。そのため、１等星から細密な星空の再現も可能となる。
また、パネルが設置された面は全て通電されていることを利用し、照明やその他の電気機器を作動させるなど、多様な利用法に発展させることができる。
【図面の簡単な説明】
【０００６】
【図１】本発明のパネル全体の斜視図
【図２】本発明のパネル内部の斜視図
【図３】本発明のパネルの内の電気配線図
【図４】本発明のパネルの電気回路図
【図５】本発明の電源の斜視図
【図６】ＬＥＤ点灯時と、カバーをかぶせた状態の写真
【図７】本発明の点灯切り替え機能搭載のパネルの斜視図
【図８】本発明の切り替え機能搭載のパネルの電気回路図
【図９】点灯切り替え機能検証の写真
【発明を実施するための形態】
【０００７】  以下、本発明の実施の形態を説明する。
（イ）、図２に示すように、薄くて軽い素材で、内部が空間になるパネル（９）を設ける。パネルの枠は１０ｍｍ程度とする。内面は光を反射させるため銀色とする。
（ロ）、パネルの枠の中央に、集電板（１）を設ける。集電板（１）は上下に２枚１組で、それぞれに異なる極の電気を流すため分離して設ける。作例では上下に分けて設けているが、左右などに分けて設けても構わない。どちら側の集電板にプラス極・マイナス極の電気を流すかが、常に同じ位置関係を保っていれば、どのような配置でもよい。
（ハ）、パネル（９）の枠に設けた集電板（１）を図４のように配線する。上段の集電板（１）４枚が一体となるように各々を電気接続する。下段の集電板（１）も同様に電気接続する。上段と下段の集電板（１）はそれどれに異なる極の電気を流すため、接点を持たせない。電源は図５に示すように、ＡＣ５Ｖのアダプタにパネルと同様の集電板（１）と接続機構を持つものとする。
（ニ）、パネル同士の接続には（４）磁石と（５）金属を用いる。パネル（９）の内部に接続用の磁石（４）と、スチールなどの磁石がくっつく金属（５）を取り付ける。磁石（４）と金属（５）の設置位置はパネルの枠の内側とし、位置関係は集電板の設置法と同様とする。以上、ここまでを通電式パネルの構造とし、以下から星空の電飾の構造とする。
【０００８】  （ホ）、図３のように、発光面がパネルの底面と並行するようにチップＬＥＤ（２）を接続する。規定以上の電流がＬＥＤ（２）にかからないよう、定電流ダイオード（３）も配置する。
（ヘ）、パネル（９）を覆うカバー（６）の裏側は、ＬＥＤ（２）から発光された光を反射させるため銀色とする。このカバーは、一般家庭にある針などの道具で自在に穴を開けたりできるような素材とする。カバーはパネル（９）に内部の光が漏れないように固定できるようにする。
（ト）、図１に示すように、カバー（６）に小さな穴（７）を開け、星をつくる。内部のＬＥＤ（２）から発した光がパネル（９）内全体に広がり、穴（７）を通して星として発光する。星の明るさは開ける穴の大きさで調整する。以上のように構成すると、図６の写真のように、ＬＥＤ（２）からの光がパネル（９）内全体に広がり、カバー（６）に開けられた穴（７）を通して星のように点灯する。
【０００９】  （チ）、複数の星空を切り替えて点灯させる際には、図７に示すように、パネル（９）内に複数の導光板（１０）を用いる。導光板（１０）は、厚さ３ｍｍほどの無色透明の光をよく通す素材とする。導光板（１０）にはＬＥＤ（２）からの光を真下に反射するスリット（８）を設け、スリット（８）の直下にある穴（７）のみを点灯させる。
（リ）、導光板（１０）を用いるときは図８の回路図に示すように、ＬＥＤ（２）と定電流ダイオード（３）がすべて１組２個ずつとなる。１組におけるＬＥＤ（２）２個は、電流の極性を反転させることによって点灯するＬＥＤ（２）が入れ替わるように、アソードとカソードが互い違いになるような向きで並列に接続する。定電流ダイオード（３）も同様に向きを互い違いに直列に接続する。１組のＬＥＤ（２）は図６に示すように高さを変えて配置し、点灯が切り替わると同時に光を通す導光板（１０）も切り替わるようにする。以上のように構成すると、図９の写真のように、電極を切り替えることで点灯させる穴（７）を切り替えることができる。図９の写真では２枚の導光板（１０）のうち、上の導光板（１０）が赤く塗られた穴（７）を、下の導光板（１０）が青く塗られた穴（７）を、それぞれ照らすようにしている。
本発明は以上の構成よりなる。
【００１０】  本発明を使用するときは、パネル（９）の底面（配線やＬＥＤの配置がなされた側の面）を背にして平面に固定し利用する。設置したい面積になるだけの個数を用意し、パネル（９）を密接させ通電するように敷き詰める。通電用の集電板（１）が露出している個所（端のパネルなど）で、任意の一ヶ所に電源アダプタを接続し給電する。設置範囲が広大で電圧降下や電流不足などが考えられる場合は、複数の個所から給電して対応する。カバー（６）はパネル（９）ひとつにつき一枚ずつ固定するか、一枚で多くのパネル（９）を覆うようにして設置する。カバー（６）の端から光漏れがないようにする。
【符号の説明】
【００１１】  １集電板、２ＬＥＤ（チップタイプ）、３定電流ダイオード、４磁石、５金属、
６カバー、７穴、８スリット、９パネル、１０導光板
【図１】
2017068222.tif 000003
【図２】
2017068222.tif 000004
【図３】
2017068222.tif 000005
【図４】
2017068222.tif 000006
【図５】
2017068222.tif 000007
【図６】
2017068222.tif 000008
【図７】
2017068222.tif 000009
【図８】
2017068222.tif 000010
【図９】
2017068222.tif 000011